(57)【要約】【課題】パチンコ機の釘調整を容易に精度高く行うことができる釘調整部材及びそれを用いた釘調整方法を提供する。【解決手段】パチンコ機における多数本の釘１５が立てられる盤面部に対面して着脱可能に配置されるシート部材２０に、釘１５の頭部１５ａの調整位置を示す黒丸マーク２８を印刷している。調整すべき釘１５の頭部１５ａの位置を黒丸マーク２８と照らし合わせ、位置を確認した上で、釘１５の頭部１５ａを移動させることができる。このため、熟練者はもちろん未熟練者にも釘１５の調整を精度高くかつ容易に行うことができる。【選択図】        図３
2004147954.tif 000002
【特許請求の範囲】
【請求項１】
パチンコ機における複数本の釘が立てられる盤面部に対面して着脱可能に配置されるシート部材からなり、該シート部材に、前記釘の頭部の調整位置を示す調整位置表示部を設けたことを特徴とする釘調整部材。
【請求項２】
前記シート部材は、可撓性材料からなり、一部が支持部材を介して盤面部に支持されることを特徴とする請求項１に記載の釘調整部材。
【請求項３】
前記シート部材は、光透過部材からなり、調整位置表示部は、目視可能のマークであることを特徴とする請求項１又は２に記載の釘調整部材。
【請求項４】
前記シート部材は、光非透過部材からなり、調整位置表示部は、孔であることを特徴とする請求項１又は２に記載の釘調整部材。
【請求項５】
前記シート部材は、出玉率に応じて前記調整位置表示部を配置した異なる種類の複数枚からなることを特徴とする請求項１から４までのいずれかに記載の釘調整部材。
【請求項６】
パチンコ機の盤面部に立てられる釘についての釘調整方法であって、前記釘の頭部の調整位置を示す調整位置表示部を設けたシート部材を前記盤面部に対面させるように配置し、前記盤面部に対面した状態でのシート部材の調整位置表示部の位置に、前記釘の頭部がくるように、前記釘の頭部を移動させることを特徴とする釘調整方法。
【発明の詳細な説明】
【０００１】
【発明の属する技術分野】
本発明は、パチンコ機の遊技盤に立てられた釘の調整に用いられる釘調整部材及びそれを用いた釘調整方法に関する。
【０００２】
【従来の技術】
パチンコ機は、遊技盤の盤面に立てられる釘の調整によって出玉率（入賞度合い）が大きく左右される。出玉率によっては、客の入りが大きく変わりパチンコホールの売上に大きく影響する。そして、遊技者とパチンコホールとのバランスを図るため、いわゆる釘師といわれる釘調整者によって釘調整が行われ、個々のパチンコ機における出玉率を設定するのが一般的である。このような釘調整の方法の一例として、釘調整指示用紙に、出玉率をどの程度にするか、又は隣接する釘の間の距離をどのくらいにするか等の指示データを記載しておき、釘調整者がその釘調整指示用紙の内容を確認し、例えばゲージを用いて、勘や経験によって釘の角度等を変えて行う方法（特許文献１参照）がある。
【０００３】
【特許文献１】
特開２０００−３４２７６６号公報
【０００４】
【発明が解決しようとする課題】
しかし、上述した従来技術では、勘や経験によって釘調整をおこなうため、目標の出玉率に対してバラツキが生じやすい。また、釘調整は釘師のような熟練技術者だけなく、未熟練者が行うこともたびたびあり、この場合、前記バラツキはさらに大きくなる。
本発明は、上記事情に鑑みてなされたもので、パチンコ機の釘調整を容易に精度高く行うことができる釘調整部材及びそれを用いた釘調整方法を提供することを目的とする。
【０００５】
【課題を解決するための手段】
請求項１記載に係る釘調整部材の発明は、パチンコ機における複数本の釘が立てられる盤面部に対面して着脱可能に配置されるシート部材からなり、該シート部材に、前記釘の頭部の調整位置を示す調整位置表示部を設けたことを特徴とする。
請求項２記載の発明は、請求項１記載の構成において、前記シート部材は、可撓性材料からなり、一部が支持部材を介して盤面部に支持されることを特徴とする。
【０００６】
請求項３記載の発明は、請求項１又は２に記載の構成において、前記シート部材は、光透過部材からなり、調整位置表示部は、目視可能のマークであることを特徴とする。
請求項４記載の発明は、請求項１又は２に記載の構成において、前記シート部材は、光非透過部材からなり、調整位置表示部は、孔であることを特徴とする。請求項５記載の発明は、請求項１から４までのいずれかに記載の構成において、前記シート部材は、出玉率に応じて前記調整位置表示部を配置した異なる種類の複数枚からなることを特徴とする。
【０００７】
請求項６記載の発明は、パチンコ機の盤面部に立てられる釘についての釘調整方法であって、前記釘の頭部の調整位置を示す調整位置表示部を設けたシート部材を前記盤面部に対面させるように配置し、前記盤面部に対面した状態でのシート部材の調整位置表示部の位置に、前記釘の頭部がくるように、前記釘の頭部を移動させることを特徴とする。
【０００８】
【発明の実施の形態】
本発明の第１実施の形態を図１ないし図６に基づいて説明する。図１ないし図３において、パチンコ機１は、外枠２と、外枠２に開閉自在に装着される内枠３とを備えている。内枠３には窓部が形成されておりその窓部４には、遊技盤５が着脱自在に納められている。さらに、内枠３には、遊技盤５のベニヤ板からなる前面部（盤面部という。）６を被うガラス７をはめたガラス枠８と、前面板９とが上下に並べてそれぞれ開閉自在に蝶着されている。前面板９は、前面に賞球を受ける上皿１０を備えている。
【０００９】
遊技盤５の盤面部６の中央には、図柄変動装置（以下、第１役物という。）１１が設けられ、第１役物１１の左右には左右第２役物１２，１２が設けられ、第１役物１１の下側、さらにその下側には、この順に入賞装置（以下、第３役物という。）１３、特別入賞装置（以下、第４役物という。）１４が設けられている。また、盤面部６には多数本の釘１５（図１では第３役物１３の真上にある２本の釘１５のみを示している。）が立てられている。さらに、盤面部６には風車（図示省略）及びその他の各種遊技部品が装着されている。盤面部６の上部左右には、後述するシート部材２０を装着するための穴（以下、盤面部側穴という。）２３が形成されている。
【００１０】
このパチンコ機１は、釘調整部材であるシート部材２０を用いて釘１５の調整を行うようにしている。シート部材２０は、盤面部６にほぼ沿う形状（この実施の形態では矩形）でこの盤面部６に後述するようにして配置され、ピン２５により遊技盤５に固定されるようになっている。シート部材２０は、可撓性を有する透明材料（光透過部材）で構成されている。シート部材２０の上側（図２上側）左右には、前記盤面部側穴２３に対応して２つの孔（以下、シート部材側孔という。）２６が形成されている。
【００１１】
前記ピン２５がシート部材側孔２６を通して盤面部側穴２３に挿入されることにより、シート部材２０が盤面部６に装着されるようになっている。この際、シート部材２０は、盤面部６から所定距離を空けて盤面部６と対面して垂れ下がるように装着されている。シート部材２０は、上述したように所定距離を空けて盤面部６と対面していることにより、第１〜第４役物１１〜１４及び遊技部品に接しておらず、また釘１５の頭部１５ａに近接したものとなっている。なお、釘１５の頭部１５ａに当接するように前記所定距離を設定してもよい。
【００１２】
シート部材２０は３枚用意されており、３枚のシート部材２０は前記ピン２５により遊技盤５に選択的に着脱可能とされている。各シート部材２０には、釘１５の頭部１５ａの基準位置（例えばメーカからホールへの出荷時点における位置）を示すリング状の丸（○）のマーク（以下、白丸マークという。）と、釘１５の頭部１５ａの調整位置を示す黒丸（●）のマーク（調整位置表示部。以下、黒丸マークという。）２８と、遊技盤５の風車に対応して設けた風車マークと、が印刷されている。
【００１３】
黒丸マーク２８は、出玉率に関係する所定の部分の釘１５に対応して設けられている。各シート部材２０は、前記黒丸マーク２８を、あらかじめ想定される３種類の出玉率に対応して異なるように配置している。ここでは、３種類の出玉率は、平常の値、大きい値、小さい値とされ、これらに対応するシート部材２０を、以下、平常調整用シート部材２０ａ（図３）、甘い調整用シート部材２０ｂ（図５）、辛い調整用シート部材２０ｃ（図６）という。なお、平常調整用、甘い調整用、辛い調整用シート部材２０ａ，２０ｂ，２０ｃを、以下、適宜、シート部材２０と総称する。
【００１４】
平常調整用シート部材２０ａは、図３に示すように、第３役物１３の真上にある２本の釘１５の頭部１５ａに対応する黒丸マーク２８の間隔が、基準間隔（前記出荷時点における間隔）に比してわずかに広く設定されている。
甘い調整用シート部材２０ｂは、図５に示すように、第３役物１３の真上にある２本の釘１５の頭部１５ａに対応する黒丸マーク２８の間隔が、平常調整用シート部材２０ａの場合に比してさらに広く設定されている。さらに、この甘い調整用シート部材２０ｂにおいては、前記黒丸マーク２８は例えば入賞口への流路が拡大する位置になるように設けられ、後述するように釘１５の頭部１５ａを前記黒丸マーク２８に対応した位置に移動させることにより出玉率を高くできるようにしている。
【００１５】
辛い調整用シート部材２０ｃは、図６に示すように、第３役物１３の真上にある２本の釘１５の頭部１５ａに対応する黒丸マーク２８の間隔が、前記基準間隔に比してわずかに狭く設定されている。さらに、この辛い調整用シート部材２０ｃにおいては、前記黒丸マーク２８は例えば入賞口への流路が狭くなる位置になるように設けられ、釘１５の頭部１５ａを前記黒丸マーク２８に対応した位置に移動させることにより出玉率を低くできるようにしている。
【００１６】
そして、前記パチンコ機１の釘１５を調整する場合、まず、３枚のシート部材２０（平常調整用、甘い調整用、辛い調整用シート部材２０ａ，２０ｂ，２０ｃ）のうち、設定すべき出玉率に相当するシート部材２０（ここでは、平常調整用シート部材２０ａを例にする。）を選択する。次に、ガラス枠８を開いて、内枠３に装着された遊技盤５の盤面部６を露出した状態にする。このように遊技盤５の盤面部６を露出した状態で、遊技盤５の盤面部側穴２３にシート部材側孔２６が一致するようにして前記選択した平常調整用シート部材２０ａを盤面部６に対面させる。そして、シート部材側孔２６を通してピン２５を盤面部側穴２３に押し込み、シート部材２０を盤面部６に対面させて保持させる。
【００１７】
次に、シート部材２０を通して正面から盤面部６を見て、２つの黒丸マーク２８のうち一方（例えば図３右側）の黒丸マーク２８とこれに対応する釘１５の頭部１５ａの位置を確認する。そして、釘１５の頭部１５ａが図３右側の黒丸マーク２８と一致していない場合、ピン２５を中心にしてシート部材２０を持ち上げて前記図３右側の黒丸マーク２８に対応する釘１５の頭部１５ａにゲージなどにより図３の矢印方向に力を加え、図４に示すように図４右側の黒丸マーク２８（図３右側の黒丸マーク２８と同じ）と一致させる。
なお、図３では矢印を示しているが、これは釘１５の頭部１５ａの移動方法を説明するために記載したものであり、シート部材２０には付されてはいない。しかし、シート部材２０に前記矢印を印刷するように構成してもよい。
【００１８】
次に、図３右側の黒丸マーク２８と同様にして、図３左側の黒丸マーク２８に対応する釘１５の頭を図４に示すように図４左側の黒丸マーク２８（図３左側の黒丸マーク２８と同じ）と一致させる。
上述した釘１５の頭部１５ａの移動が終了すると、ピン２５を盤面部側穴２３から抜いて平常調整用シート部材２０ａを盤面部６から外し、平常調整用シート部材２０ａによる釘１５の調整は終了する。
前記甘い調整用、辛い調整用シート部材２０ｂ，２０ｃによる釘１５の調整も上述した平常調整用シート部材２０ａの場合と同様に行われる。
【００１９】
この実施の形態の釘調整方法によれば、調整すべき釘１５の頭部１５ａの位置を黒丸マーク２８と照らし合わせ、位置を確認した上で、釘１５の頭部１５ａを移動させることができる。このため、熟練者はもちろん未熟練者にも釘１５の調整を精度高くかつ容易に行うことができる。また、シート部材２０を持ち上げて釘１５の頭部１５ａの移動を行う一方、シート部材２０の持ち上げを止めてシート部材２０の下側を垂らすだけでシート部材２０が盤面部６に対面して黒丸マーク２８と釘１５の頭部１５ａの位置を確認することができるので、黒丸マーク２８と釘１５の頭部１５ａとの位置照合を迅速かつ容易に果たすことができる。このため、釘１５の頭部１５ａを一度移動した段階では釘１５の頭部１５ａが黒丸マーク２８に一致していない場合にも、釘１５の頭部１５ａ位置を容易に確認して再度、釘１５の頭部１５ａを移動し、これにより所望の位置（黒丸マーク２８に対応する位置）に釘１５の頭部１５ａを移動することが可能であり、その分、作業性が向上する。
【００２０】
この実施の形態では、出玉率がそれぞれ平常の値、大きい値、小さい値とされるようにして黒丸マーク２８（調整位置表示部）を設けた平常調整用、甘い調整用、辛い調整用シート部材２０ａ，２０ｂ，２０ｃを用意しているので、出玉率に応じた釘１５の調整を選択的に行うことができる。本実施の形態では、３枚のシート部材２０を用いる場合を例にしたが、出玉率に応じて４枚以上のシート部材２０を用意するようにしてもよい。なお、シート部材２０は２枚であっても、１枚であってもよい。
また、この実施の形態では、２本のピン２５を用いてシート部材２０を２ヶ所で支持するので、シート部材２０を確実に位置決めできる。また、上述したようにシート部材２０が２ヶ所（２本のピン２５）で支持されていることから、シート部材２０の黒丸マーク２８とこれに対応する釘１５の頭部１５ａの位置とを確認した後にシート部材２０を持ち上げる際に、シート部材２０の持ち上げをバランスよく行うことができる。
【００２１】
なお、この実施の形態では、シート部材２０が可撓性材料から構成されている場合を例にしたが、これに代えて、ピン２５で保持される部分（ピン保持部分）を中心にして、その下側部分が折れ曲がるように溝などを形成し、非可撓性材料で構成することも可能である。
また、上記第１実施の形態では、盤面部６の上部左右に形成した盤面部側穴２３にピン２５を挿入することによりシート部材２０を保持する場合を例にしたが、これに代えて、図７に示すように、第１役物１１に２つの穴（以下、第１役物側穴という。）２３ａを設け、この第１役物側穴２３ａにピン２５を挿入してシート部材２０を保持するように構成してもよい（第２実施の形態）。
また、図８に示すように、左右の第２役物１２にそれぞれ穴（以下、第２役物側穴という。）２３ｂを設け、この第２役物側穴２３ｂにピン２５を挿入してシート部材２０を保持するように構成してもよい（第３実施の形態）。
【００２２】
上記第１〜第３実施の形態では、調整位置表示部が黒丸マーク２８である場合を例にしたがこれに限らず、黒丸と異なる形状、色を用いた他のマークで構成してもよい。
また、上記第１〜第３実施の形態では、シート部材２０が透明部材からなる場合を例にしたが、これに代えて半透明部材（光透過部材）から構成してもよい。また、シート部材２０について光を透過しない部材（光非透過部材）で構成してもよい。この場合、上記第１〜第３実施の形態における黒丸マーク２８に相当する部分に孔を形成したり、当該部分を光透過部材で構成する。そして、前記孔又は光透過部材が調整位置表示部として用いられる。
【００２３】
また、上記第１〜第３実施の形態では、２本のピン２５を用いてシート部材２０を２ヶ所で支持する場合を例にしたが、これに代えて３本以上のピン２５を用いてシート部材２０を３ヶ所以上で支持するようにしてもよい。
【００２４】
上記実施の形態では、シート部材２０を、役物を含む遊技盤５に保持させる場合を例にしたが、これに代えて、図９及び図１０に示すように、ガラス枠８に装着される、ガラス７を含むガラスユニット３０にシート部材２１を装着するようにしてもよい（第４実施の形態）。この第４実施の形態では、ガラスユニット３０の上側部分（図９上側）には、ピン２５ａが挿入される穴（以下、ガラスユニット側穴という。）３１が左右方向に所定距離開けて形成されている。そして、ピン２５ａをシート部材２１の孔３２に通し、さらにガラスユニット側穴３１に挿入することにより、シート部材２１をガラスユニット３０に装着している。
この第４実施の形態も、第１実施の形態と同様に、シート部材２１は、出玉率に応じて黒丸マーク２８などの調整位置表示部が配置された異なる種類の複数枚が用意されている。
【００２５】
この第４実施の形態では、パチンコ機１の釘１５を調整する場合、まず、複数枚のシート部材２１のうち、設定すべき出玉率に相当するシート部材２１を選択する。次に、ガラス枠８に装着されたガラスユニット３０に前記選択されたシート部材２１を装着する。
そして、調整すべき釘１５の頭部１５ａの位置を調整位置表示部と照らし合わせ、位置を確認した上で、ガラス枠８を開けて釘１５の頭部１５ａを移動させる。このように調整すべき釘１５の頭部１５ａの位置を調整位置表示部と照らし合わせ位置を確認した上で、釘１５の頭部１５ａを移動させることにより、熟練者はもちろん未熟練者にも釘１５の調整を精度高くかつ容易に行うことができる。
【００２６】
【発明の効果】
請求項１から５までのいずれかに記載の発明に係る釘調整部材によれば、パチンコ機における複数本の釘が立てられる盤面部に対面して着脱可能に配置されるシート部材からなり、該シート部材に、前記釘の頭部の調整位置を示す調整位置表示部を設けており、調整すべき釘の頭部の位置を調整位置表示部と照らし合わせ、位置を確認した上で、釘の頭部を移動させることができる。このため、熟練者はもちろん未熟練者にも釘の調整を精度高くかつ容易に行うことができる。
請求項６に記載の発明によれば、パチンコ機の盤面部に立てられる釘についての釘調整方法であって、前記釘の頭部の調整位置を示す調整位置表示部を設けたシート部材を前記盤面部に対面させるように配置し、前記盤面部に対面した状態でのシート部材の調整位置表示部の位置に、前記釘の頭部がくるように、前記釘の頭部を移動させるので、調整すべき釘の頭部の位置を調整位置表示部と照らし合わせ、位置を確認した上で、釘の頭部を移動させることができる。このため、熟練者はもちろん未熟練者にも釘の調整を精度高くかつ容易に行うことができる。
【図面の簡単な説明】
【図１】本発明の第１実施の形態に係る釘調整部材（シート部材）が用いられるパチンコ機を模式的に示す斜視図である。
【図２】本発明の第１実施の形態に係る釘調整部材の遊技盤への取付について模式的に示す斜視図である。
【図３】本発明の第１実施の形態に係る釘調整部材の平常調整用シート部材を模式的に示す平面図である。
【図４】図３の平常調整用シート部材による釘の頭部の移動例を模式的に示す断面図である。
【図５】本発明の第１実施の形態に係る釘調整部材の甘い調整用シート部材を模式的に示す平面図である。
【図６】本発明の第１実施の形態に係る釘調整部材の辛い調整用シート部材を模式的に示す平面図である。
【図７】本発明の第２実施の形態に係る釘調整部材の遊技盤への取付について模式的に示す斜視図である。
【図８】本発明の第３実施の形態に係る釘調整部材の遊技盤への取付について模式的に示す斜視図である。
【図９】本発明の第４実施の形態に係る釘調整部材を模式的に示す平面図である。
【図１０】図９のＡ−Ａ線に沿う断面図である。
【符号の説明】
６    盤面部
１５    釘
１５ａ  釘の頭部
２０，２１  シート部材
２８  黒丸マーク（調整位置表示部）
【図１】
2004147954.tif 000003
【図２】
2004147954.tif 000004
【図３】
2004147954.tif 000005
【図４】
2004147954.tif 000006
【図５】
2004147954.tif 000007
【図６】
2004147954.tif 000008
【図７】
2004147954.tif 000009
【図８】
2004147954.tif 000010
【図９】
2004147954.tif 000011
【図１０】
2004147954.tif 000012